(57)【要約】【課題】画像形成装置及び方法を提供すること。【解決手段】圧縮されて与えられる動映像データをデコーディングするデコーディング部と、デコーディングされた動映像データを再生する動映像再生部と、所定の操作された結果に相応してデコーディングされた動映像データのうち所定のフレームを選択し、選択されたフレームを処理する映像処理部と、処理されたフレームの画像を形成する画像形成部とを備えることを特徴とする画像形成装置である。【選択図】図１
2007129725.tif 000002
【特許請求の範囲】
【請求項１】
圧縮されて与えられる動映像データをデコーディングするデコーディング部と；
前記デコーディングされた動映像データを再生する動映像再生部と；
所定の操作結果に応じて前記デコーディングされた動映像データの中から所定のフレームを選択し、当該選択されたフレームを処理する映像処理部と；
前記映像処理部により処理された前記フレームの画像を形成する画像形成部と；
を備えることを特徴とする、画像形成装置。
【請求項２】
前記映像処理部は、
一つ以上の前記選択されたフレームが一つの画面に含まれるように前記フレームを処理するか、又は前記選択されたフレーム毎に別途の画面を構成するように前記フレームを処理することを特徴とする、請求項１に記載の画像形成装置。
【請求項３】
前記映像処理部は、
一つ以上の前記選択されたフレームが一つの画面に配分されるように前記フレームを処理するか、又は一つ以上の前記選択されたフレームに関する全ての映像情報を有する一つのフレームが生成されるように前記フレームを処理することを特徴とする、請求項１に記載の画像形成装置。
【請求項４】
前記映像処理部は、
前記デコーディング部によりデコーディングされた前記動映像データから一つ以上のフレームをキャプチャし、当該キャプチャされたフレームから前記所定のフレームを選択することを特徴とする、請求項１に記載の画像形成装置。
【請求項５】
前記映像処理部により処理されたフレームを保存する保存部をさらに備えることを特徴とする、請求項１〜４のいずれかに記載の画像形成装置。
【請求項６】
前記映像処理部により処理されたフレームの映像をディスプレイするディスプレイ部をさらに備えることを特徴とする請求項１〜５のいずれかに記載の画像形成装置。
【請求項７】
所定の操作結果に応じて与えられる動映像データの中から所定のフレームを選択し、当該選択されたフレームを処理する映像処理部と；
前記映像処理部により処理された前記フレームの画像を形成する画像形成部と；
を備え、
前記映像処理部は、
一つ以上の前記選択されたフレームが一つの画面に配分されるように前記フレームを処理するか、又は一つ以上の前記選択されたフレームに関する全ての映像情報を有する一つのフレームが生成されるように前記フレーム処理するか、又は前記選択されたフレーム毎に別途の画面を構成するように前記フレームを処理することを特徴とする、画像形成装置。
【請求項８】
画像形成装置で行われる画像形成方法において、
（ａ）圧縮されて与えられる動映像データをデコーディングする工程と；
（ｂ）前記デコーディングされた動映像データを再生する工程と；
（ｃ）前記デコーディングされた動映像データの中から所定のフレームを選択する工程と；
（ｅ）前記選択されたフレームの画像を形成する工程と；
を含むことを特徴とする、画像形成方法。
【請求項９】
前記（ｃ）工程は、
（ｃ１）前記デコーディングされた動映像データのキャプチャを指示する工程と；
（ｃ２）キャプチャされるフレーム数を設定し、当該設定されたフレーム数が複数であるか否かを判断する工程と；
（ｃ３）前記（ｃ２）工程において複数であると判断された場合に、キャプチャされるフレーム間の時間間隔を指定する工程と；
（ｃ４）前記デコーディングされた動映像データを、前記（ｃ１）工程で行う指示の時点から前記（ｃ３）工程で指定された時間間隔毎に前記フレーム数回のキャプチャをする工程と、
を含み、
前記（ｅ）工程は、
前記キャプチャされたフレームの画像を形成することを特徴とする、請求項８に記載の画像形成方法。
【請求項１０】
前記（ｃ）工程は、
（ｃ５）前記（ｃ２）工程で設定されたフレーム数が複数ではないと判断された場合に、前記デコーディングされた動映像データを前記（ｃ１）工程で行う指示の時点においてキャプチャする工程をさらに含むことを特徴とする、請求項９に記載の画像形成方法。
【請求項１１】
前記（ｃ）工程は、
（ｃ１）前記デコーディングされた動映像データのキャプチャを指示する工程と；
（ｃ２）前記所定のフレーム間の時間間隔、キャプチャ開始フレーム、及びキャプチャ終了フレームを指定する工程と；
（ｃ３）前記（ｃ２）において指定された事項に基づいて前記デコーディングされた動映像データをキャプチャする工程と；
を含み、
前記（ｅ）工程は、
前記（ｃ３）工程でキャプチャされたフレームの画像を形成することを特徴とする、請求項８に記載の画像形成方法。
【請求項１２】
前記（ｃ）工程は、
（ｃ１）前記デコーディングされた動映像データから一つ以上のフレームをキャプチャする工程と；
（ｃ２）前記（ｃ１）工程でキャプチャされたフレームから前記所定のフレームを選択する工程と；
を含むことを特徴とする、請求項８に記載の画像形成方法。
【請求項１３】
前記（ｃ）工程は、
（ｃ１）キャプチャしようとする時点であるキャプチャ時点を指定する工程と；
（ｃ２）前記（ｃ１）工程で指定されたキャプチャ時点毎に前記デコーディングされた動映像データをキャプチャして、前記一つ以上のフレームをキャプチャする工程と；
を含み、
前記（ｅ）工程は、
前記（ｃ２）工程でキャプチャされたフレームの画像を形成することを特徴とする、請求項８に記載の画像形成方法。
【請求項１４】
（ｄ）前記（ｃ）工程で選択されたフレームを処理する工程をさらに含み、
前記（ｅ）工程は、
前記（ｄ）工程で処理されたフレームの画像を形成することを特徴とする、請求項８に記載の画像形成方法。
【請求項１５】
前記（ｄ）工程は、
一つ以上の前記選択されたフレームが一つの画面に配分されるように前記フレームを処理するか、又は一つ以上の前記選択されたフレームに関する全ての映像情報を有する一つのフレームが生成されるように前記フレームを処理するか、又は前記選択されたフレーム毎に別途の画面を構成するように前記フレームを処理することを特徴とする、請求項１４に記載の画像形成方法。
【請求項１６】
前記（ｃ）工程で選択されたフレームを保存する工程をさらに含むことを特徴とする、請求項９〜１５のいずれかに記載の画像形成方法。
【請求項１７】
前記（ｃ）工程で選択されたフレームの映像をディスプレイする工程をさらに含むことを特徴とする、請求項９〜１６のいずれかに記載の画像形成方法。
【請求項１８】
画像形成装置で行われる画像形成方法において、
（ａ）与えられる動映像データの中から所定のフレームを選択し、当該選択されたフレームを処理する工程と；
（ｂ）前記（ａ）工程で処理されたフレームの画像を形成する工程と；
を含み、
前記（ａ）工程は、
一つ以上の前記選択されたフレームが一つの画面に配分されるように前記フレームを処理するか、又は一つ以上の前記選択されたフレームに関する全ての映像情報を有する一つのフレームが生成されるように前記フレームを処理するか、又は前記選択されたフレーム毎に別途の画面を構成するように前記フレームを処理することを特徴とする、画像形成方法。
【請求項１９】
画像形成装置で行われる画像形成機能を実現可能なコンピュータプログラムを記録するコンピュータで読み取り可能な記録媒体において、
圧縮されて与えられる動映像データをデコーディングする機能と；
前記デコーディングされた動映像データを再生する機能と；
前記デコーディングされた動映像データの中から所定のフレームを選択する機能と；
前記選択されたフレームの画像を形成する機能と；
をコンピュータに実現させるためのプログラムが記録されたコンピュータで読み取り可能な記録媒体。
【請求項２０】
画像形成装置で行われる画像形成機能を実現するコンピュータプログラムを記録するコンピュータで読み取り可能な記録媒体において、
圧縮されて与えられる動映像データをデコーディングする機能と；
前記デコーディングされた動映像データを再生する機能と；
所定の操作結果に応じて前記デコーディングされた動映像データの中から所定のフレームを選択し、当該選択されたフレームを処理する機能と；
前記処理されたフレームの画像を形成する機能と；
をコンピュータに実現させるためのプログラムが記録されたコンピュータで読み取り可能な記録媒体。
【請求項２１】
前記フレームを処理する機能は、
一つ以上の前記選択されたフレームが一つの画面に含まれるように前記フレームを処理するか、又は前記選択されたフレーム毎に別途の画面を構成するように前記フレームを処理することを特徴とする、請求項２０に記載のプログラムが記録されたコンピュータで読み取り可能な記録媒体。
【請求項２２】
前記フレームを処理する機能は、
一つ以上の前記選択されたフレームが一つの画面に配分されるように前記フレームを処理するか、又は一つ以上の前記選択されたフレームに関する全ての映像情報を有する一つのフレームが生成されるように前記フレームを処理することを特徴とする、請求項２０に記載のプログラムが記録されたコンピュータで読み取り可能な記録媒体。
【請求項２３】
前記フレームを処理する機能は、
前記デコーディングされた動映像データから一つ以上のフレームをキャプチャし、当該キャプチャされたフレームから前記所定のフレームを選択することを特徴とする、請求項２０に記載のプログラムが記録されたコンピュータで読み取り可能な記録媒体。
【発明の詳細な説明】
【技術分野】
【０００１】
本発明は、プリンタのような画像形成装置に係り、より詳細には、動映像データをデコーディングし、そのデコーディングされた動映像データを再生する間に所定の操作結果に応じて、そのデコーディングされた動映像データの中から所定のフレームを選択及び処理し、その処理されたフレームの画像を形成する画像形成装置、画像形成方法、及び記録媒体に関する。
【背景技術】
【０００２】
最近、印刷機能を有する複合機（ＭＦＰ；Ｍｕｌｔｉ  Ｆｕｎｃｔｉｏｎ  Ｐｅｒｉｐｈｅｒａｌ）やプリンタのような画像形成装置が動映像もディスプレイできるように商品化される傾向にある。
【０００３】
このとき、上記のような画像形成装置は、動映像をディスプレイするか、その動映像の特定時点の静止画像を印刷するために、画像形成装置の外部で予めデコーディングされた圧縮形式の動映像データを取得しなければならない。
【０００４】
【特許文献１】特開２００１−２０３９５９号公報
【特許文献２】大韓民国特許公開第１０−２００４−００６５９２８号
【発明の開示】
【発明が解決しようとする課題】
【０００５】
その結果、従来の画像形成装置は、デコーディングされていない状態で与えられる圧縮動映像データの映像をディスプレイできないという問題点がある。さらに、従来の画像形成装置は、動映像をディスプレイする途中、一つ以上の一部静止映像を動きが現れるように配列して、一つの印刷媒体に印刷できないという問題点もある。
【０００６】
そこで、本発明は、上記問題に鑑みてなされたものであり、本発明の目的とするところは、動映像データをデコーディングし、そのデコーディングされた動映像データを再生する間に、所定の操作された結果に相応してそのデコーディングされた動映像データの中から所定のフレームを選択及び処理し、その処理されたフレームの画像を形成することが可能な画像形成装置、画像形成方法、及びコンピュータプログラムが記録された記録媒体を提供することにある。
【課題を解決するための手段】
【０００７】
上記課題を解決するために、本発明のある観点によれば、圧縮されて与えられる動映像データをデコーディングするデコーディング部と、デコーディングされた動映像データを再生する動映像再生部と、所定の操作結果に応じてデコーディングされた動映像データの中から所定のフレームを選択し、当該選択されたフレームを処理する映像処理部と、映像処理部により処理されたフレームの画像を形成する画像形成部と、
を備えることを特徴とする、画像形成装置が提供される。
【０００８】
上記の映像処理部は、一つ以上の選択されたフレームが一つの画面に含まれるようにフレームを処理するか、又は選択されたフレーム毎に別途の画面を構成するようにフレームを処理するように構成されていてもよい。
【０００９】
上記の映像処理部は、一つ以上の選択されたフレームが一つの画面に配分されるようにフレームを処理するか又は一つ以上の選択されたフレームに関する全ての映像情報を有する一つのフレームが生成されるようにフレームを処理するように構成されていてもよい。
【００１０】
上記の映像処理部は、デコーディング部によりデコーディングされた動映像データから一つ以上のフレームをキャプチャし、当該キャプチャされたフレームから所定のフレームを選択するように構成されていてもよい。
【００１１】
上記の画像形成装置は、映像処理部により処理されたフレームを保存する保存部をさらに備えるように構成されていてもよい。
【００１２】
上記の画像形成装置は、映像処理部により処理されたフレームの映像をディスプレイするディスプレイ部をさらに備えるように構成されていてもよい。
【００１３】
また、上記課題を解決するために、本発明の別の観点によれば、所定の操作結果に応じて与えられる動映像データの中から所定のフレームを選択し、当該選択されたフレームを処理する映像処理部と、映像処理部により処理されたフレームの画像を形成する画像形成部と、を備えることを特徴とする。また、上記の映像処理部は、一つ以上の選択されたフレームが一つの画面に配分されるようにフレームを処理するか、又は一つ以上の選択されたフレームに関する全ての映像情報を有する一つのフレームが生成されるようにフレーム処理するか、又は選択されたフレーム毎に別途の画面を構成するようにフレームを処理するように構成されていてもよい。
【００１４】
また、上記課題を解決するために、本発明の別の観点によれば、画像形成装置で行われる画像形成方法において、（ａ）圧縮されて与えられる動映像データをデコーディングする工程と、（ｂ）デコーディングされた動映像データを再生する工程と、（ｃ）デコーディングされた動映像データの中から所定のフレームを選択する工程と、（ｅ）選択されたフレームの画像を形成する工程と、を含むことを特徴とする。
【００１５】
上記の（ｃ）工程は、（ｃ１）デコーディングされた動映像データのキャプチャを指示する工程と、（ｃ２）キャプチャされるフレーム数を設定し、当該設定されたフレーム数が複数であるか否かを判断する工程と、（ｃ３）（ｃ２）工程において複数であると判断された場合に、キャプチャされるフレーム間の時間間隔を指定する工程と、（ｃ４）デコーディングされた動映像データを、（ｃ１）工程で行う指示の時点から（ｃ３）工程で指定された時間間隔毎にフレーム数回のキャプチャをする工程と、を含むことを特徴とする。また、上記の（ｅ）工程は、キャプチャされたフレームの画像を形成するように構成されていてもよい。
【００１６】
上記の（ｃ）工程は、（ｃ５）（ｃ２）工程で設定されたフレーム数が複数ではないと判断された場合に、デコーディングされた動映像データを（ｃ１）工程で行う指示の時点においてキャプチャする工程をさらに含むように構成されていてもよい。
【００１７】
上記の（ｃ）工程は、（ｃ１）デコーディングされた動映像データのキャプチャを指示する工程と、（ｃ２）所定のフレーム間の時間間隔、キャプチャ開始フレーム、及びキャプチャ終了フレームを指定する工程と、（ｃ３）（ｃ２）において指定された事項に基づいてデコーディングされた動映像データをキャプチャする工程と、を含むように構成されていてもよい。また、上記の（ｅ）工程は、（ｃ３）工程でキャプチャされたフレームの画像を形成するように構成されていてもよい。
【００１８】
上記の（ｃ）工程は、（ｃ１）デコーディングされた動映像データから一つ以上のフレームをキャプチャする工程と、（ｃ２）（ｃ１）工程でキャプチャされたフレームから所定のフレームを選択する工程と、を含むように構成されていてもよい。
【００１９】
上記の（ｃ）工程は、（ｃ１）キャプチャしようとする時点であるキャプチャ時点を指定する工程と、（ｃ２）（ｃ１）工程で指定されたキャプチャ時点毎にデコーディングされた動映像データをキャプチャして、一つ以上のフレームをキャプチャする工程と、を含むように構成されていてもよい。また、上記の（ｅ）工程は、（ｃ２）工程でキャプチャされたフレームの画像を形成するように構成されていてもよい。
【００２０】
上記の画像形成方法は、（ｄ）（ｃ）工程で選択されたフレームを処理する工程をさらに含むように構成されていてもよい。また、上記の（ｅ）工程は、（ｄ）工程で処理されたフレームの画像を形成するように構成されていてもよい。
【００２１】
上記の（ｄ）工程は、一つ以上の選択されたフレームが一つの画面に配分されるようにフレームを処理するか、又は一つ以上の選択されたフレームに関する全ての映像情報を有する一つのフレームが生成されるようにフレームを処理するか、又は選択されたフレーム毎に別途の画面を構成するようにフレームを処理するように構成されていてもよい。
【００２２】
上記の画像形成方法は、（ｃ）工程で選択されたフレームを保存する工程をさらに含むように構成されていてもよい。
【００２３】
上記の画像形成方法は、（ｃ）工程で選択されたフレームの映像をディスプレイする工程をさらに含むように構成されていてもよい。
【００２４】
また、上記課題を解決するために、本発明の別の観点によれば、画像形成装置で行われる画像形成方法において、（ａ）与えられる動映像データの中から所定のフレームを選択し、当該選択されたフレームを処理する工程と、（ｂ）（ａ）工程で処理されたフレームの画像を形成する工程と、を含むことを特徴とする。また、上記の（ａ）工程は、一つ以上の選択されたフレームが一つの画面に配分されるようにフレームを処理するか、又は一つ以上の選択されたフレームに関する全ての映像情報を有する一つのフレームが生成されるようにフレームを処理するか、又は選択されたフレーム毎に別途の画面を構成するようにフレームを処理するように構成されていてもよい。
【００２５】
また、上記課題を解決するために、本発明の別の観点によれば、画像形成装置で行われる画像形成機能を実現可能なコンピュータプログラムを記録するコンピュータで読み取り可能な記録媒体であって、圧縮されて与えられる動映像データをデコーディングする機能と、デコーディングされた動映像データを再生する機能と、デコーディングされた動映像データの中から所定のフレームを選択する機能と、選択されたフレームの画像を形成する機能と、をコンピュータに実現させるためのプログラムが記録されたコンピュータで読み取り可能な記録媒体である。
【００２６】
また、上記課題を解決するために、本発明の別の観点によれば、画像形成装置で行われる画像形成機能を実現するコンピュータプログラムを記録するコンピュータで読み取り可能な記録媒体であって、圧縮されて与えられる動映像データをデコーディングする機能と、デコーディングされた動映像データを再生する機能と、所定の操作結果に応じてデコーディングされた動映像データの中から所定のフレームを選択し、当該選択されたフレームを処理する機能と、処理されたフレームの画像を形成する機能と、をコンピュータに実現させるためのプログラムが記録されたコンピュータで読み取り可能な記録媒体である。
【００２７】
上記のフレームを処理する機能は、一つ以上の選択されたフレームが一つの画面に含まれるようにフレームを処理するか、又は選択されたフレーム毎に別途の画面を構成するようにフレームを処理するように構成されていてもよい。
【００２８】
上記のフレームを処理する機能は、一つ以上の選択されたフレームが一つの画面に配分されるようにフレームを処理するか、又は一つ以上の選択されたフレームに関する全ての映像情報を有する一つのフレームが生成されるようにフレームを処理するように構成されていてもよい。
【００２９】
上記のフレームを処理する機能は、デコーディングされた動映像データから一つ以上のフレームをキャプチャし、当該キャプチャされたフレームから所定のフレームを選択するように構成されていてもよい。
【００３０】
より詳細には、前記課題を達成するために、本実施形態に係る画像形成装置は、圧縮されて与えられる動映像データをデコーディングするデコーディング部と、前記デコーディングされた動映像データを再生する動映像再生部と、所定の操作された結果に相応して前記デコーディングされた動映像データのうち所定のフレームを選択し、前記選択されたフレームを処理する映像処理部と、前記処理されたフレームの画像を形成する画像形成部とを備えることを特徴とする。
【００３１】
前記課題を達成するために、本実施形態に係る画像形成装置は、所定の操作された結果に相応して、与えられる動映像データのうち所定のフレームを選択し、前記選択されたフレームを処理する映像処理部と、前記処理されたフレームの画像を形成する画像形成部とを備え、前記映像処理部は、一つ以上の前記選択されたフレームが一つの画面に配分されるように前記処理するか、又は一つ以上の前記選択されたフレームの全ての映像情報を有する一つのフレームが生成されるように前記処理するか、又は前記選択されたフレーム毎に別途の画面を構成するように前記処理することを特徴とする。
【００３２】
前記他の課題を達成するために、本実施形態に係る画像形成方法は、画像形成装置で行われる画像形成方法において、（ａ）圧縮されて与えられる動映像データをデコーディングする段階と、（ｂ）前記デコーディングされた動映像データのうち所定のフレームを選択する段階と、（ｄ）前記選択されたフレームの画像を形成する段階とを含むことを特徴とする。
【００３３】
前記他の課題を達成するために、本実施形態に係る画像形成方法は、画像形成装置で行われる画像形成方法において、（ａ）与えられる動映像データのうち所定のフレームを選択し、前記選択されたフレームを処理する段階と、（ｂ）前記処理されたフレームの画像を形成する段階とを含み、前記（ａ）段階は、一つ以上の前記選択されたフレームが一つの画面に配分されるように前記処理するか、又は一つ以上の前記選択されたフレームの全ての映像情報を有する一つのフレームが生成されるように前記処理するか、又は前記選択されたフレーム毎に別途の画面を構成するように前記処理することを特徴とする。
【００３４】
前記さらに他の課題を達成するために、本発明によるコンピュータで読み取り可能な記録媒体は、画像形成装置で行われる画像形成方法において、圧縮されて与えられる動映像データをデコーディングする段階と、前記デコーディングされた動映像データのうち所定のフレームを選択する段階と、前記選択されたフレームの画像を形成する段階とを含む画像形成方法を行うコンピュータプログラムを記録することを特徴とする。
【００３５】
以上説明した構成によれば、動映像データをデコーディングすることが可能なので、デコーディングを必要とする圧縮された動映像データが与えられても、その動映像データの画像を形成することができる。また、画像形成装置でディスプレイされる動映像データから所定のフレームをキャプチャするために、その画像形成装置と連結されたホストの助けを必要とせず、画像形成装置自らがキャプチャできるので、ユーザの作業便宜性を図ることができる。さらに、画像形成装置でディスプレイされる動映像データが有する映像の動きが表れた一つのフレームを、その画像形成装置に連結されたホストの助けがなくても生成することができる。
【発明の効果】
【００３６】
以上説明したように、本発明によれば、動映像データをデコーディングし、そのデコーディングされた動映像データを再生する間に、所定の操作された結果に相応してそのデコーディングされた動映像データの中から所定のフレームを選択及び処理し、その処理されたフレームの画像を形成することができる。
【発明を実施するための最良の形態】
【００３７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３８】
（技術的課題について）
まず、本実施形態に係る画像形成装置、画像形成方法、又はコンピュータ・プログラムにより解決可能な技術的課題について簡単に説明する。
【００３９】
まず、本実施形態の構成により解決可能な技術的課題は、所定の操作された結果に相応して、与えられる動映像データから所定のフレームを選択し、一つ以上のその選択されたフレームが一つの画面に含まれるように処理するか、又はその選択されたフレーム毎に別途の画面を構成するように処理し、その処理されたフレームの画像を形成する画像形成装置を提供することである。
【００４０】
さらに、本実施形態の構成により解決可能な技術的課題は、動映像データをデコーディングし、そのデコーディングされた動映像データを再生する間に、所定の操作された結果に相応してそのデコーディングされた動映像データのうち所定のフレームを選択及び処理し、その処理されたフレームの画像を形成する画像形成方法を提供することである。
【００４１】
また、本実施形態の構成により解決可能な技術的課題は、所定の操作された結果に相応して、与えられる動映像データから所定のフレームを選択し、一つ以上のその選択されたフレームが一つの画面に含まれるように処理するか、又はその選択されたフレーム毎に別途の画面を構成するように処理し、その処理されたフレームの画像を形成する画像形成方法を提供することである。
【００４２】
そして、本実施形態の構成により解決可能な技術的課題は、動映像データをデコーディングし、そのデコーディングされた動映像データを再生する間に、所定の操作された結果に相応してそのデコーディングされた動映像データのうち所定のフレームを選択及び処理し、その処理されたフレームの画像を形成するコンピュータプログラムを記録するコンピュータで読み取り可能な記録媒体を提供することである。
【００４３】
［画像形成装置の構成］
図１は、本発明の一実施形態に係る画像形成装置を説明するためのブロック図である。本実施形態に係る画像形成装置は、主に、読み取り部１１０、デコーディング部１１２、動映像再生部１１３、ディスプレイ部１１４、ユーザ操作部１１６、映像処理部１１８、画像形成部１２０、及び保存部１２２から構成される。
【００４４】
なお、読み取り部１１０、デコーディング部１１２、動映像再生部１１３、ディスプレイ部１１４、ユーザ操作部１１６、映像処理部１１８、画像形成部１２０、及び保存部１２２のいずれも画像形成装置に設けられうる。印刷機能を有する複合機やプリンタは、その画像形成装置の一例でありうる。
【００４５】
（読み取り部１１０）
読み取り部１１０は、動映像データを含んでいる所定の記録媒体（図示せず）からその動映像データを読み出して獲得する。ここで、記録媒体は、例えば、画像形成装置に独立的に連結可能なメモリカード、画像形成装置に連結されたホストに備えられたハードディスクドライブ、デジタルカメラやカムコーダのような映像撮像装置に備えられたメモリであってもよい。一方、その読み取られた動映像データは、圧縮された動映像データでありうる。図１に示したＩＮ１は、その読み取られた動映像データを意味する。
【００４６】
（デコーディング部１１２、ディスプレイ部１１４）
デコーディング部１１２は、その読み取られた動映像データをデコーディングする。ディスプレイ部１１４は、そのデコーディングされた動映像データが表す動映像をディスプレイする。ＯＵＴ１は、ディスプレイ部１１４がディスプレイする映像を意味する。
【００４７】
（動映像再生部１１３）
また、本実施形態に係る画像形成装置は、動映像再生部１１３を備えることが望ましい。動映像再生部１１３は、デコーディング部１１２でデコーディングされた動映像データが表す動映像を再生し、ディスプレイ部１１４は、その再生される動映像をディスプレイする。
【００４８】
このとき、ディスプレイ部１１４は、画像形成装置に備えられた所定のディスプレイパネルを通じて動映像をディスプレイすることができる。ユーザは、そのディスプレイパネルを観察して動映像を鑑賞できる。
【００４９】
一方、ユーザは、そのディスプレイされる動映像の鑑賞中に、特定映像のキャプチャを望む場合がある。このとき、ユーザは、一つの特定映像のみをキャプチャするか、一つの特定映像と時間的に先後関係にある複数の特定映像をキャプチャすることもある。
【００５０】
ここで、一つの特定映像のみをキャプチャするとは、そのデコーディングされた動映像データから一つのフレームのみをキャプチャすることを意味する。また、複数の特定映像をキャプチャするとは、複数のそのデコーディングされた動映像データから複数のフレームをキャプチャすることを意味する。
【００５１】
（ユーザ操作部１１６、映像処理部１１８）
ユーザは、画像形成装置に設けられたキーを操作してそのようなキャプチャを指示できる。このために、本実施形態に係る画像形成装置には、ユーザ操作部１１６が設けられる。ユーザ操作部１１６は、ユーザが操作可能な媒体を設け、その操作された結果を映像処理部１１８に提供する。
【００５２】
このとき、ユーザの操作は、映像処理部１１８又は後述する画像形成部１２０をユーザの意図通りに動作させるユーザのあらゆる操作の中の一つを意味する。例えば、キー操作、タッチによる操作は、このような操作の一例である。もし、ユーザがユーザ操作部１１６を通じてキー操作するならば、ユーザ操作部１１６は、ユーザが操作可能な媒体として所定のキーを設け、キー操作された結果を映像処理部１１８に提供する。同様に、ユーザがユーザ操作部１１６を通じてタッチ操作するならば、ユーザ操作部１１６は、ユーザが操作可能な媒体として、タッチスクリーンのようにユーザのタッチによって操作される媒体を設ける。この場合、ユーザがタッチを通じてユーザ操作部１１６に指示した内容は、映像処理部１１８及び画像形成部１２０の一方又は両方に提供される。
【００５３】
以下、説明の便宜上、ユーザ操作部１１６は、所定のキーを設け、ユーザは、その設けられたキーを操作して映像処理部１１８及び画像形成部１２０の一方又は両方の動作を指示することができると仮定する。
【００５４】
このようなユーザ操作部１１６は、前述したように画像形成装置に設けられてもよく、また、その画像形成装置に連結された映像撮像装置に設けられるか、又はその画像形成装置に連結されたホストに設けられてもよい。
【００５５】
ユーザは、ユーザ操作部１１６に設けられたキーを操作して、前述したようにキャプチャを指示できるだけでなく、ディスプレイ部１１４がそのキャプチャされたフレームのあらゆる映像をディスプレイすることを指示するか、そのキャプチャされたフレームのうち一部フレームの選定を指示することも可能である。ここで、キャプチャ及び選定は、後述する映像処理部１１８でその指示に応答して行われる。
【００５６】
結局、ユーザ操作部１１６は、そのデコーディングされた動映像データのうち所定のフレームの選択を指示できる。このとき、所定のフレームは、そのキー操作された結果に相応する一つ以上のフレームである。ここで、選択されたフレームは、キャプチャされたフレーム自体であるか、キャプチャされた一つ以上のフレームのうち選定されたフレームでありうる。
【００５７】
また、ユーザは、ユーザ操作部１１６に設けられたキーを操作して、一つ以上のその選択されたフレームの処理を指示することもできる。例えば、ユーザは、キーを操作して、一つ以上のその選択されたフレームが一つの画面に含まれることを指示するか、一つ以上のその選択されたフレーム毎に別途の画面を構成することを指示することもできる。
【００５８】
映像処理部１１８は、ユーザがユーザ操作部１１６に設けられたキーを操作して指示したところに応じて、フレームの選択及び処理を行う。すなわち、映像処理部１１８は、キー操作された結果をユーザ操作部１１６から入力され、そのキー操作された結果に相応して、そのデコーディングされた動映像データのうち所定のフレームを選択してその選択されたフレームを処理する。
【００５９】
そのキャプチャされたフレームの映像、その選定されたフレームの映像、及びその処理されたフレームの映像のそれぞれは、画像形成装置に設けられたディスプレイ装置であるディスプレイ部１１４がディスプレイすることもあり、パソコンのモニターやＴＶのように画像形成装置に連結されたディスプレイ装置がディスプレイすることもある。
【００６０】
（画像形成部１２０）
画像形成部１２０は、映像処理部１１８が処理したフレームの画像を形成する。すなわち、画像形成部１２０は、処理されたフレームの映像を印刷媒体に印刷できる。
【００６１】
このとき、画像形成部１２０は、処理されたフレームの映像を画面別に印刷することができる。例えば、映像処理部１１８において一つの画面に複数の選択されたフレームが含まれるように処理された場合、画像形成部１２０は、その複数の選択されたフレームが含まれたその一つの画面の映像を印刷することができる。図１に示されたＯＵＴ２は、印刷された映像を意味する。
【００６２】
（保存部１２２）
一方、映像処理部１１８で処理されたフレームは、画像形成装置の内部に保存されうる。このために、本実施形態に係る画像形成装置は、保存部１２２を設け、保存部１２２は、映像処理部１１８で処理されたフレームを図示しない記憶装置に保存する。
【００６３】
［画像形成方法１］
図４Ａは、本実施形態に係る画像形成方法を説明するためのフローチャートである。このフローチャートは、動映像データをデコーディングし、所定のキー操作された結果に相応して、そのデコーディングされた動映像データのうち所定のフレームを選択及び処理し、その処理されたフレームの画像を形成する段階（第４１０〜４５８段階）により構成される。以下、図２を適宜参照しながら説明する。
【００６４】
読み取り部１１０は、動映像データを保存した所定の記録媒体から動映像データを読み取り（第４１０段階）、デコーディング部１１２は、その読み取られた動映像データをデコーディングする（第４１２段階）。
【００６５】
ディスプレイ部１１４は、そのデコーディングされた動映像データが表す動映像２３０をディスプレイし（第４１４段階）、ユーザ操作部１１６は、ユーザからキー操作によってキャプチャを指示されたか否かを判断する（第４１６段階）。
【００６６】
第４１６段階において、キャプチャを指示されたと判断されれば、ディスプレイ部１１４は、設けられたディスプレイパネル２１０に“キャプチャするフレーム数？”のようなメッセージ２４０を表示してユーザに認知させる。ユーザは、ユーザ操作部１１６に設けられたキー２２０を操作して、キャプチャするフレーム数を設定し（第４１８段階）、ユーザ操作部１１６は、第４１８段階において設定されたフレーム数が単数であるかどうかを判断する（第４２０段階）。
【００６７】
第４２０段階において単数ではないと判断されると、ディスプレイ部１１４は、設けられたディスプレイパネル２１０に“フレーム間の時間間隔？”のようなメッセージ２４０を表示してユーザに認知させる。ユーザは、ユーザ操作部１１６に設けられたキー２２０を操作して、第４１８段階において設定された複数のフレーム間の時間間隔を指定する（第４２２段階）。なお、キー２２０は、例えば、ディスプレイパネル２１０に表示された動映像２３０又はメッセージ２４０の表示サイズを変更するズームボタン（ズーム＋、ズーム−）、動映像２３０又はメッセージ２４０の表示領域を移動する移動ボタン（上、下、左、右）、表示されている動映像２３０又はメッセージ２４０を保存部１２２又は他の記憶手段（図示せず）に保存するキャプチャボタン、表示されている動映像２３０又はメッセージ２４０を直接又はネットワークを介して接続された印刷装置（図示せず）に印刷する印刷ボタンのいずれかを含んでもよいし、ズームボタン、移動ボタン、キャプチャボタン、印刷ボタンによる操作を取り消す取消ボタンを含んでもよい。
【００６８】
第４２２段階の後段において、映像処理部１１８は、‘第４１６段階においてキャプチャを指示されたと判断された時点’から‘第４２２段階において指定された時間間隔’毎に、そのデコーディングされた動映像データを複数回キャプチャすることによって、第４１８段階において設定されたフレーム数だけのフレームをキャプチャする（第４２４段階）。
【００６９】
第４２４段階の後段において、ディスプレイ部１１４は、第４２４段階においてキャプチャされたフレームの映像をディスプレイする（第４２６段階）。このとき、ディスプレイ部１１４は、図２Ｂに示すように、第４２４段階においてキャプチャされた全てのフレーム（例えば、フレーム２５０−１，２５０−２，．．．，２５０−９）の映像をディスプレイできる。なお、各フレームに付された符号２５０−１，２５０−２，．．．，２５０−９は、説明の都合上、便宜的に付されたものであって、キャプチャされるフレーム数、フレームの種類、フレームの構成はこれに限定されるものではない。
【００７０】
さらに、ディスプレイ部１１４は、第４２６段階において映像がディスプレイされたフレームのうち、一つ以上のフレームを選定することをユーザに認知させる。つまり、ディスプレイ部１１４は、例えば、第４２６段階において表示された各フレームの中から少なくとも１つのフレームを選択するようにユーザを促すようなメッセージを表示するか、又はその他の表現を用いてユーザを促す。当該その他の表現としては、例えば、ディスプレイされたフレームを順に又は一度に点灯させたり消灯させたりしてもよいし、各フレームの彩色を変更させてもよい。これを受け、ユーザは、ユーザ操作部１１６に設けられたキー２２０を操作して、図２Ｃに示すように、一つ以上のフレーム（例えば、フレーム２５０−２，２５０−６，２５０−７，及び２５０−９）の選定を指示することができる。映像処理部１１８は、その指示に従ってフレームを選定する（第４２８段階）。なお、各フレームに付された符号２５０−２，２５０−６，２５０−７，及び２５０−９は、説明の都合上、便宜的に付されたものであって、キャプチャされるフレーム数、フレームの種類、フレームの構成はこれに限定されるものではない。
【００７１】
第４２８段階の後段において、ユーザ操作部１１６は、ユーザからキー操作によってＮ−ＵＰディスプレイが指示されたか否かを判断する（第４３０段階）。なお、Ｎ−ＵＰディスプレイとは、Ｎ個（Ｎは所定の自然数）のフレームを１つの画面に一緒にディスプレイ（表示）することを意味する。
【００７２】
第４３０段階においてＮ−ＵＰディスプレイが指示されたと判断されれば、映像処理部１１８は、その選定されたフレーム（この例では、フレーム２５０−２，２５０−６，２５０−７，及び２５０−９）が一つの画面に配分して表示されるように処理する。また、ユーザ操作部１１６は、ユーザからキー操作により印刷を指示されたか否かを判断する（第４３２段階）。第４３２段階において印刷を指示されなかったと判断すると、ユーザ操作部１１６は、ユーザからＮ−ＵＰディスプレイが指示されたか否かを判断する（第４３４段階）。
【００７３】
第４３４段階においてＮ−ＵＰディスプレイが指示されたと判断されれば、ディスプレイ部２１０は、図２Ｃに示すように、映像処理部１１８でフレームの表示が一つの画面に配分されるように処理されたフレームの映像を、画像形成装置に設けられたディスプレイパネル２１０上にディスプレイする（第４３６段階）。つまり、第４３４段階でＮ−ＵＰディスプレイの指示がある場合、映像処理部１１８は、第４２８段階で選択されたフレームを一画面に収まるように配置して表示する。
【００７４】
第４３４段階においてＮ−ＵＰディスプレイが指示されなかったと判断されれば、保存部１２２は、映像処理部１１８でフレームの表示が一つの画面に配分されるように処理されたフレームを保存する（第４３８段階）。つまり、第４３４段階でＮ−ＵＰディスプレイの指示がない場合、映像処理部１１８によりフレーム表示を一画面に配置されるように配分処理された後、保存部１２２は、当該配分処理された各フレームを図示しない記憶部又はその他の記録媒体等に保存する。
【００７５】
一方、第４３２段階において印刷が指示されたと判断されれば、画像形成部１２０は、映像処理部１１８により一つの画面に配分されるように処理されたフレームの映像を印刷媒体上に印刷する（第４４０段階）。
【００７６】
もし、第４３０段階において印刷の指示を受けなかったと判断されれば、映像処理部１１８は、その選定されたフレーム（この例では、フレーム２５０−２，２５０−６，２５０−７，及び２５０−９）毎に別途の画面を構成するようにフレームを処理する。また、ユーザ操作部１１６は、ユーザからキー操作によって印刷を指示されたか否かを判断し（第４４２段階）、第４４２段階において印刷の指示を受けなかったと判断されると、ユーザ操作部１１６は、ユーザから上記の選定されたフレームのディスプレイを指示されたか否かを判断する（第４４４段階）。
【００７７】
第４４４段階においてディスプレイの指示を受けなかったと判断されれば、保存部１２２は、映像処理部１１８で‘選択されたフレーム毎に別途の画面を構成するように処理された’そのフレームを保存する（第４４６段階）。
【００７８】
一方、第４４４段階においてディスプレイの指示がされたと判断されれば、ディスプレイ部２１０は、映像処理部１１８で‘選択されたフレーム毎に別途の画面を構成するように処理された’そのフレームの映像を、画像形成装置に設けられたディスプレイパネル２１０上にディスプレイする（第４４８段階）。
【００７９】
一方、第４４２段階において印刷が指示されたと判断されれば、画像形成部１２０は、映像処理部１１８で‘選択されたフレーム毎に別途の画面を構成するように処理された’そのフレームの映像を印刷媒体上に印刷する（第４５０段階）。
【００８０】
また、第４２０段階において単数であると判断されれば、映像処理部１１８は、そのデコーディングされた動映像データを‘第４１６段階においてキャプチャを指示されたと判断された時点’でキャプチャし、ユーザ操作部１１６は、ユーザからキー操作によって印刷を指示されたか否かを判断する（第４５２段階）。そして、第４５２段階において指示を受けなかったと判断されれば、ユーザ操作部１１６は、ユーザからディスプレイを指示されたか否かを判断する（第４５４段階）。
【００８１】
第４５４段階においてディスプレイの指示を受けなかったと判断されれば、保存部１２２は、映像処理部１１８でキャプチャされたそのフレームを保存する（第４５６段階）。
【００８２】
一方、第４５４段階においてディスプレイが指示されたと判断されれば、映像処理部１１８でキャプチャされたそのフレームの映像を、画像形成装置に設けられたディスプレイパネル２１０上にディスプレイする（第４５８段階）。
【００８３】
一方、第４５２段階において印刷が指示されたと判断されれば、画像形成部１２０は、映像処理部１１８でキャプチャされたそのフレームの映像を印刷媒体上に印刷する（第４６０段階）。
【００８４】
［画像形成方法２］
図５は、本実施形態に係る画像形成方法を説明するための第２実施の形態のフローチャートであって、動映像データをデコーディングし、所定のキー操作された結果に相応して、そのデコーディングされた動映像データのうち所定のフレームを選択及び処理し、その処理されたフレームの画像を形成する段階（第５１０〜５４８段階）からなる。以下、図３を参照しつつ説明する。
【００８５】
読み取り部１１０は、動映像データを保存した所定の記録媒体から動映像データを読み取る（第５１０段階）。デコーディング部１１２は、その読み取られた動映像データをデコーディングする（第５１２段階）。
【００８６】
ディスプレイ部１１４は、そのデコーディングされた動映像データが表す動映像２３０をディスプレイし（第５１４段階）、ユーザ操作部１１６は、ユーザからキー操作によってキャプチャを指示されたか否かを判断する（第５１６段階）。
【００８７】
第５１６段階においてキャプチャを指示されたと判断されれば、ユーザ操作部１１６は、第５１６段階において判断されたキャプチャの指示が連続動作キャプチャを指示しているか否かを判断する（第５１８段階）。そして、第５１８段階において連続動作キャプチャを指示すると判断されれば、ディスプレイ部１１４は、連続動作キャプチャを自動で行うか否かをユーザに認知させる。その後、ユーザは、ユーザ操作部１１６に設けられたキー２２０を操作して、連続動作キャプチャを自動又は手動で行うことを指定し、ユーザ操作部１１６は、ユーザが連続動作キャプチャの自動遂行を指定したか否かを判断する（第５２０段階）。
【００８８】
第５２０段階において連続動作キャプチャの自動遂行を指定しなかったと判断されれば、ディスプレイ部１１４は、設けられたディスプレイパネル２１０を通じてユーザに対し、これを知らせる。また、ユーザは、ユーザ操作部１１６に設けられたキー２２０を操作して、キャプチャするフレームの数、キャプチャするフレーム間の時間間隔、最初にキャプチャするフレーム、及び最後にキャプチャするフレームを指定する（第５２２段階）。
【００８９】
第５２２段階の後段において、映像処理部１１８は、第５２２段階において指定された項目毎の設定に応じて、そのデコーディングされた動映像データをキャプチャすることで、第５２２段階において指定されたフレーム数だけのフレームをキャプチャする（第５２４段階）。
【００９０】
一方、第５２０段階において連続動作キャプチャの自動遂行を指定したと判断されれば、映像処理部１１８は、予め設定された事項によってそのデコーディングされた動映像データをキャプチャする（第５２５段階）。ここで、予め設定された事項には、キャプチャするフレームの数、そのキャプチャするフレーム間の時間間隔、最初にキャプチャするフレーム、及び最後にキャプチャするフレームに関する情報が含まれる。
【００９１】
第５２４段階又は第５２５段階の後段において、映像処理部１１８は、第５２４段階又は第５２５段階においてキャプチャされたフレームの全ての映像情報を有する‘一つのフレーム’である連続映像フレームを生成する（第５２６段階）。図３Ａ及び図３Ｂは、そのような連続映像フレームの一例である。図３Ａの場合、読み取り部１１０に与えられる動映像データの動映像は、‘バスケットボール選手がダンクシュートする動作’を表す。この場合、映像処理部１１８は、第５２４段階又は第５２５段階において３個のフレームをキャプチャし、そのキャプチャされた３個のフレームの全ての映像情報を有する一つのフレーム３１０を第５２６段階において生成した。同様に、図３Ｂの場合、読み取り部１１０に与えられる動映像データの動映像は、‘ゴルフ選手がドライブショットする動作’を表す。この場合、映像処理部１１８は、第５２４段階又は第５２５段階において５個のフレームをキャプチャし、そのキャプチャされた５個のフレームの全ての映像情報を有する一つのフレーム３２０を第５２６段階において生成した。第５２６段階において生成された一つのフレーム３１０又は３２０は、読み取り部１１０に与えられる動映像データの動映像が有する‘動き’を表すので、‘連続映像フレーム’と称した。
【００９２】
第５２６段階の後段において、ユーザ操作部１１６は、ユーザからキー操作により印刷を指示されたか否かを判断し（第５２８段階）、第５２８段階において印刷の指示を受けなかったと判断されれば、ユーザ操作部１１６は、ユーザからディスプレイを指示されたか否かを判断する（第５３０段階）。
【００９３】
第５３０段階においてディスプレイの指示を受けなかったと判断されれば、保存部１２２は、映像処理部１１８で生成された連続映像フレームを保存する（第５３２段階）。
【００９４】
一方、第５３０段階においてディスプレイが指示されたと判断されれば、ディスプレイ部２１０は、映像処理部１１８で生成された連続映像フレームの映像を、画像形成装置に設けられたディスプレイパネル２１０上にディスプレイする（第５３４段階）。
【００９５】
一方、第５２８段階において印刷が指示されたと判断されれば、画像形成部１２０は、映像処理部１１８で生成された連続映像フレームの映像を印刷媒体上に印刷する（第５３６段階）。
【００９６】
また、第５１８段階において連続動作キャプチャを指示すると判断されれば、映像処理部１１８は、そのデコーディングされた動映像データを‘第５１６段階においてキャプチャを指示されたと判断された時点’でキャプチャする（第５３８段階）。
【００９７】
第５３８段階後に、ユーザ操作部１１６は、ユーザからキー操作により印刷を指示されたか否かを判断し（第５４０段階）、第５４０段階において指示を受けなかったと判断されれば、ユーザ操作部１１６は、ユーザからディスプレイを指示されたか否かを判断する（第５４２段階）。
【００９８】
第５４２段階においてディスプレイの指示を受けなかったと判断されれば、保存部１２２は、第５３８段階においてキャプチャされたフレームを保存する（第５４４段階）。
【００９９】
一方、第５４２段階においてディスプレイが指示されたと判断されれば、ディスプレイ部２１０は、第５３８段階においてキャプチャされたフレームの映像を、画像形成装置に設けられたディスプレイパネル２１０上にディスプレイする（第５４６段階）。
【０１００】
一方、第５４０段階において印刷が指示されたと判断されれば、画像形成部１２０は、第５３８段階においてキャプチャされたフレームの映像を印刷媒体上に印刷する（第５４８段階）。
【０１０１】
また、本発明は、コンピュータで読み取り可能な記録媒体にコンピュータで読み取り可能なコードとして具現することが可能である。コンピュータで読み取り可能な記録媒体は、コンピュータシステムによって読取れるデータが保存される全ての種類の記録装置を備える。コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置などがあり、またキャリアウェーブ（例えば、インターネットを介した伝送）形態に具現されるものも含む。また、コンピュータで読み取り可能な記録媒体は、ネットワークに連結された複数のコンピュータシステムに分散し、分散方式でコンピュータ読み取り可能なコードが保存され、実行されることも可能である。そして、本発明を具現するための機能的なプログラム、コード及びコードセグメントは、当分野のプログラマーらによって容易に推論可能である。
【０１０２】
以上、添付図面を参照しながら本発明の好適な実施形態について説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【０１０３】
【図１】本発明の一実施形態に係る画像形成装置を説明するためのブロック図である。
【図２Ａ】本実施形態に係る画像形成方法を説明するための説明図である。
【図２Ｂ】本実施形態に係る画像形成方法を説明するための説明図である。
【図２Ｃ】本実施形態に係る画像形成方法を説明するための説明図である。
【図３Ａ】本実施形態に係る画像形成方法を説明するための説明図である。
【図３Ｂ】本実施形態に係る画像形成方法を説明するための説明図である。
【図４Ａ】本実施形態に係る画像形成方法を説明するためのフローチャートである。
【図４Ｂ】本実施形態に係る画像形成方法を説明するためのフローチャートである。
【図５Ａ】本実施形態に係る画像形成方法を説明するためのフローチャートである。
【図５Ｂ】本実施形態に係る画像形成方法を説明するためのフローチャートである。
【符号の説明】
【０１０４】
１１０    読み取り部
１１２    デコーディング部
１１３    動映像再生部
１１４、２１０    ディスプレイ部
１１６    ユーザ操作部
１１８    映像処理部
１２０    画像形成部
１２２    保存部
２１０    ディスプレイパネル
２２０    キー
２３０    動映像
２４０    メッセージ
３１０、３２０    フレーム
【図１】
2007129725.tif 000003
【図２Ａ】
2007129725.tif 000004
【図２Ｂ】
2007129725.tif 000005
【図２Ｃ】
2007129725.tif 000006
【図４Ａ】
2007129725.tif 000007
【図４Ｂ】
2007129725.tif 000008
【図５Ａ】
2007129725.tif 000009
【図５Ｂ】
2007129725.tif 000010
【図３Ａ】
2007129725.tif 000011
【図３Ｂ】
2007129725.tif 000012